(57)【要約】      （修正有）【課題】蓋に特殊加工を施すことなく熱を逃げ難くするとともに、スープを飲み干す際の最後の一口の中に麺や具のカスおよび香辛料を含ませないようにすることができる、インスタント食品用カップ容器を得る。【解決手段】カップ容器の開口部２の全周に亘り、容器内側に突出した内側縁辺部３を設けることで当該カップ容器の開口部２と蓋との間の隙間を狭めることができ、かつ前記内側縁辺部３により、スープを飲み干す際の麺や具のカス等が含まれないようにする。【選択図】図１
0003143365.tif 000002
【実用新案登録請求の範囲】
【請求項１】
カップ容器の開口部の全周に亘り、容器内側に突出した内側縁辺部を設けて構成することを特徴とする、インスタント食品用カップ容器。
【考案の詳細な説明】
【技術分野】
【０００１】  本考案は、カップ容器内に直接お湯を注いでラーメン等を食べることができる、インスタント食品用のカップ容器に関するものである。
【背景技術】
【０００２】  従来、ラーメン，うどん，そば等を手軽に食べようとする場合、カップ容器入りのインスタントラーメン，インスタントうどん，インスタントそば等（以後、単にインスタント食品と言う）を利用していた。該インスタント食品のカップ容器は、小容量のラーメンではカップ型容器が一般的であり、それ以外のラーメンやうどんおよびそば等ではどんぶり型容器が一般的である。該カップ型容器およびどんぶり型容器の何れ（以後、単にカップ容器と言う）においても、蓋はアルミ箔，紙，樹脂フィルム等をラミネートしたシート状のものであり、当該インスタント食品を食べる際には、蓋の一端部にあるフラップを摘んで開口部を半分ほど開け、カップ容器内のスープおよび香辛料等を取り出したのち麺に具を乗せて熱湯を注ぎ、再度蓋を閉めて数分間蒸したのち蓋を取り除き、前記スープおよび香辛料等を加えて食べるものである。【０００３】  しかしながら、従来のカップ容器には以下のような問題点があった。
１．熱湯を注いで麺を蒸す場合、蓋の一端部にあるフラップをカップ容器上端部の外側に折り曲げて蓋を止めるが、該蓋は熱により跳ね返りやすく、前記フラップで止めた箇所以外ではカップ容器の開口部と当該蓋との間に隙間ができるため、熱が逃げやすくなる。このため、蒸し時間が長くなったり、麺が十分に柔らかくならなかった。
２．スープを飲み干そうとする場合、最後の一口の中に麺や具のカスおよび香辛料が多く含まれるため、高齢者にあっては前記麺や具のカスおよび香辛料をのどに詰まらせて、咽せたり咳き込んでしまうことが多々あった。【０００４】  上記１の問題点を解決するため、例えば特開２００６−０４６６２５号公報においては、蓋と容器の上端縁部とを、断面形状がコ字状で弓形のクリップを挟むことにより熱を逃げ難くさせる旨の記載があり、特開２００３−２３１５４７号公報においては、蓋の開口縁にアルミテープを略半周に形成し、該アルミテープを開口縁の鍔に向けており曲げることにより密閉性を保って熱を逃げ難くさせる旨の記載があり、特開２００２−１１４２７７号公報においては、蓋の端縁にカップ容器の開口部縁辺の外側に折り返して固定することができる複数のフラップを設け、該フラップにより蓋をカップ容器に密着させる旨の記載がある。【０００５】  また、上記２の問題点を解決するための特許公報や従来技術は特にない。【０００６】
【特許文献１】特開２００６−０４６６２５
【特許文献２】特開２００３−２３１５４７
【特許文献３】特開２００２−１１４２７７
【考案の開示】
【考案が解決しようとする課題】
【０００７】  しかしながら、上記１の問題点の解決方法として、上記特開２００６−０４６６２５号公報記載の発明にあっては、容器に１個ずつクリップを添付するものであり、コスト上昇や資源の無駄使いの原因となってしまうと言う欠点があった。また、特開２００３−２３１５４７号公報や特開２００２−１１４２７７号公報記載の発明にあっては、蓋に特殊な加工を施すため、蓋の製造工程が増すことによるコスト上昇を招いてしまうと言う欠点があった。【０００８】  また、上記２の問題点の解決方法は皆無のため、その解決方法が求められていた。【０００９】  本考案は、以上の問題点を解決するために成されたものであり、蓋に特殊加工を施すことなく熱を逃げ難くするとともに、スープを飲み干す際の最後の一口の中に麺や具のカスおよび香辛料を含ませないようにすることができる、インスタント食品用カップ容器を提供することを目的とする。
【課題を解決するための手段】
【００１０】  上記課題を解決するため、本考案のインスタント食品用カップ容器は、カップ容器の開口部の全周に亘り、容器内側に突出した内側縁辺部を設けて構成する。
【考案の効果】
【００１１】  本考案のインスタント食品用カップ容器を使用すれば、蓋に特殊加工を施すことなく、単にカップ容器の開口部の全周に亘り、容器内側に突出した内側縁辺部を設けるだけでカップ容器の開口部と当該蓋との間の隙間を狭めることができるため、熱を逃げ難くすることができる。このため、指定された蒸し時間で麺を十分に柔らかくさせることができるという効果を奏する。また、前記内側縁辺部により、スープを飲み干す際の最後の一口の中に麺や具のカスおよび香辛料を含ませないようにすることができるため、高齢者にあっては前記麺や具のカスおよび香辛料をのどに詰まらせることもなく、咽せたり咳き込んでしまうことがなくなるという効果を奏する。さらには、前述の通り蓋に特殊加工を施す必要がないため、コスト上昇を招くこともなく効果を得ることができる。
【考案を実施するための最良の形態】
【００１２】  本考案を実施するための最良の形態を図を用いて説明する。【００１３】  図１は本考案のインスタント食品用カップ容器の第一実施例の外形図であり、（ａ）は平面図、（ｂ）は（ａ）のＡ−Ａ断面図である。また、図２は本考案のインスタント食品用カップ容器の第二実施例の外形図であり、（ａ）は平面図、（ｂ）は（ａ）のＡ−Ａ断面図である。ここで、図１はカップ型容器を示し、図２はどんぶり型容器を示している。【００１４】  何れの容器においても、カップ容器１の開口部２の全周に亘り、容器内側に突出した内側縁辺部３を設けて構成する。該内側縁辺部３の幅は５ｍｍ程度で、容器本体の厚さを差し引いた内側突出部の幅は３ｍｍ程度が好適であるが、この数値に限定するものではない。【００１５】  また、図３は図１における縁辺部の他の実施例図であり、図４は図２における縁辺部の他の実施例図である。ここでは、何れの容器においても、カップ容器１の開口部２の全周に亘り、従来の容器外側に突出した外側縁辺部４に、さらに容器内側に突出した内側縁辺部３を設けて構成する。該内側縁辺部３の幅は、上記と同様である。【００１６】  図５は内側縁辺部と蓋との隙間の状態を示す図である。カップ容器１内に熱湯を注いで麺を蒸す場合、蓋６の一端部にあるフラップ（図示せず）をカップ容器１上端部の外側に折り曲げて蓋を止めるが、該蓋６は熱により跳ね返りやすく、前記フラップで止めた箇所以外ではカップ容器１の開口部２と当該蓋６との間に隙間ができる。【００１７】  ここで、従来の外側縁辺部４が設けられたカップ容器の場合は、蓋６と開口部２との隙間の幅はＬ１であり、本考案の内側縁辺部３が設けられたカップ容器の場合は、蓋６と開口部２との隙間の幅はＬ２である。図より、Ｌ１＞Ｌ２であることが判り、内側縁辺部３を設けることにより蓋６と開口部２との隙間が狭められることになる。したがって、蓋６に特殊な加工を施すことなく熱を逃げ難くすることができる。【００１８】  また、図６は内側縁辺部が麺や具のカスおよび香辛料の流出を防止している状態を示す図である。カップ容器１内のインスタント食品をほとんど食べ、残ったスープを飲み干そうとする場合、最後の一口の中に麺や具のカスおよび香辛料５が多く含まれるが、本考案の内側縁辺部３を設けることにより、前記麺や具のカスおよび香辛料５が当該内側縁辺部３で止められ、口内への流出を防止することになる。したがって、高齢者にあっては前記麺や具のカスおよび香辛料５をのどに詰まらせて、咽せたり咳き込んでしまうことを防止できる。【００１９】  なお、上記説明で示した図１から図６のカップ容器１の材質は発泡スチレンが好適であるが、ラミネート紙やプラスチックまたはこれらを複合した如何なる材質の容器であっても構わないものである。
【産業上の利用可能性】
【００２０】  上記説明においては、インスタント食品として、インスタントラーメン，インスタントうどん，インスタントそば等を例に挙げたが、麺類に限定せず、カップスープ，カップ味噌汁などカップ容器を使用したあらゆるインスタント食品に利用可能である。
【図面の簡単な説明】
【００２１】
【図１】本考案のインスタント食品用カップ容器の第一実施例の外形図である。
【図２】本考案のインスタント食品用カップ容器の第二実施例の外形図である。
【図３】図１における縁辺部の他の実施例図である。
【図４】図２における縁辺部の他の実施例図である。
【図５】内側縁辺部と蓋との隙間の状態を示す図である。
【図６】内側縁辺部が麺や具のカスおよび香辛料の流出を防止している状態を示す図である。
【符号の説明】
【００２２】    １  カップ容器
２  開口部
３  内側縁辺部
４  外側縁辺部
５  麺や具のカスおよび香辛料
６  蓋
【図１】
0003143365.tif 000003
【図２】
0003143365.tif 000004
【図３】
0003143365.tif 000005
【図４】
0003143365.tif 000006
【図５】
0003143365.tif 000007
【図６】
0003143365.tif 000008